【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
加入者端末と、前記加入者端末に所定の方式で副チャネルを割り当てる基地局とを含む通信システムにおいて、前記加入者端末が前記基地局に副チャネル割当を要請する方法であって、
前記加入者端末が自身に割り当てられた副チャネルの割当方式を確認し、前記確認した副チャネル割当方式で割当を受けた副チャネルのチャネル状態指示子を確認するステップと、
前記確認したチャネル状態指示子に応じて副チャネル割当方式の変換の必要性を確認すれば、変換しようとする副チャネル割当方式を指示する符号語を前記基地局に伝送するステップと、
前記伝送した符号語に対応するように変換された副チャネル割当方式で副チャネルの割当を受けるステップと、
を含むことを特徴とする副チャネル割当要請方法。
【請求項２】
前記符号語は、第１符号語、第２符号語、及び第３符号語を含むことを特徴とする請求項１記載の副チャネル割当要請方法。
【請求項３】
前記符号語を前記基地局に伝送するステップは、
前記変換しようとする副チャネル割当方式がバンド適応変調符号化副チャネル割当方式の場合、前記バンド適応変調符号化副チャネル割当方式への変換を指示する前記第１符号語と前記第２符号語を伝送し、
前記変換しようとする副チャネル割当方式が一般副チャネル割当方式の場合、前記一般副チャネル割当方式への変換を指示する前記第３符号語を伝送することを特徴とする請求項２記載の副チャネル割当要請方法。
【請求項４】
前記第１符号語は、
前記加入者端末が前記基地局に副チャネル割当方式を前記一般副チャネル割当方式から前記バンド適応変調符号化副チャネル割当方式への変換を要請する場合に用いられることを特徴とする請求項３記載の副チャネル割当要請方法。
【請求項５】
前記第２符号語は、
前記加入者端末が所定個数の最上位のバンドの搬送波対干渉雑音比に対する前記チャネル品質指示子を前記基地局に伝送することを知らせる場合に用いられることを特徴とする請求項４記載の副チャネル割当要請方法。
【請求項６】
前記所定個数の最上位のバンドは、前記加入者端末に割り当てられた副チャネルの全バンドの中で、最上位のチャネル状態を有することを特徴とする請求項５記載の副チャネル割当要請方法。
【請求項７】
前記第２符号語は、前記加入者端末が次のフレームで所定個数の最上位のバンドのチャネル品質指示子差値を前記基地局に伝送することを知らせる場合に用いられることを特徴とする請求項５記載の副チャネル割当要請方法。
【請求項８】
前記第３符号語は、
前記加入者端末が基地局に副チャネル割当方式を前記バンド適応変調符号化副チャネル割当方式から前記一般副チャネル割当方式への変換を要請する場合に用いられることを特徴とする請求項３記載の副チャネル割当要請方法。
【請求項９】
前記第３符号語は、
前記加入者端末が自身に割り当てられた副チャネルの全バンドのチャネル品質指示子標準を前記基地局に伝送することを知らせる場合に用いられることを特徴とする請求項３記載の副チャネル割当要請方法。
【請求項１０】
前記符号語を前記基地局に伝送するステップは、
前記加入者端末が前記基地局に前記第１副チャネル割当方式から前記第２副チャネル割当方式への変換を要請する場合、専用制御チャネルを介して前記第１符号語を前記基地局に伝送するステップと、
前記第１符号語に対した応答で前記基地局からチャネル品質指示子要求メッセージを受信すると、前記専用制御チャネルを介して前記基地局に前記加入者端末のチャネル品質指示子と前記第２符号語を伝送するステップと、
前記伝送された第１符号語とチャネル品質指示子に対応して前記第２副チャネル割当方式で副チャネルの割当を受けるステップと、を含むことを特徴とする請求項２記載の副チャネル割当要請方法。
【請求項１１】
前記第１副チャネル割当方式は一般副チャネル割当方式であり、前記第２副チャネル割当方式はバンド適応変調符号化副チャネル割当方式であることを特徴とする請求項１０記載の副チャネル割当要請方法。
【請求項１２】
前記専用制御チャネルは、前記加入者端末のチャネル品質指示子を前記基地局に伝送するために割り当てられたチャネルであることを特徴とする請求項１１記載の副チャネル割当要請方法。
【請求項１３】
前記加入者端末のチャネル品質指示子を前記基地局に伝送するステップは、
前記第１副チャネル割当方式で前記加入者端末に割り当てられた副チャネルの全バンドの中で、チャネル状態が最上位である所定個数の最上位バンドに対する前記チャネル品質指示子を前記基地局に伝送することを特徴とする請求項１１記載の副チャネル割当要請方法。
【請求項１４】
前記加入者端末が前記第２副チャネル割当方式で前記副チャネルの割当を受けると、チャネル状態が最上位である所定個数の最上位バンドに対する搬送波対干渉雑音比の差値を伝送するステップをさらに含むことを特徴とする請求項１３記載の副チャネル割当要請方法。
【請求項１５】
前記搬送波対干渉雑音比の差値は、前記第２符号語が伝送されるフレームでチャネル状態が最上位である所定個数の最上位バンドに対する搬送波対干渉雑音比と前記フレームの次のフレームでチャネル状態が最上位である所定個数の最上位バンドに対する搬送波対干渉雑音比との間の搬送波対干渉雑音比の増減を指示することを特徴とする請求項１４記載の副チャネル割当要請方法。
【請求項１６】
所定の時間が経過して前記チャネル状態が最上位である所定個数のバンドが変更される場合、前記加入者端末が前記第１符号語を前記基地局に再伝送することを特徴とする請求項１４記載の副チャネル割当要請方法。
【請求項１７】
所定の時間が経過すると、前記加入者端末が前記第２符号語を前記基地局に再転送して前記チャネル状態が最上位である所定個数のバンドに対する前記チャネル品質指示子を更新するステップをさらに含むことを特徴とする請求項１４記載の副チャネル割当要請方法。
【請求項１８】
前記符号語を前記基地局に伝送するステップは、
前記加入者端末が前記基地局に第２副チャネル割当方式から第１副チャネル割当方式への変更を要請する場合、専用制御チャネルを介して前記第３符号語を前記基地局に伝送するステップと、
前記伝送された第３符号語に対応して前記加入者端末の前記チャネル品質指示子を伝送するステップと、
前記伝送された第３符号語とチャネル品質指示子に対応して前記第１副チャネル割当方式で副チャネルの割当を受けるステップと、を含むことを特徴とする請求項２記載の副チャネル割当要請方法。
【請求項１９】
前記第１副チャネル割当方式は一般副チャネル割当方式であり、前記第２副チャネル割当方式はバンド適応変調符号化副チャネル割当方式であることを特徴とする請求項１８記載の副チャネル割当要請方法。
【請求項２０】
前記チャネル品質指示子は、前記第２副チャネル割当方式で割り当てられた前記副チャネルの全バンドに対する搬送波対干渉雑音比の平均(average Carrier-to-Interference Noise Ratio)を含むことを特徴とする請求項１９記載の副チャネル割当要請方法。
【請求項２１】
前記加入者端末が一般副チャネル割当方式により副チャネルを割り当てられなければ、前記第３符号語を前記基地局に再伝送するステップをさらに含むことを特徴とする請求項１９記載の副チャネル割当要請方法。
【請求項２２】
加入者端末と、前記加入者端末に所定の方式で副チャネルを割り当てる基地局とを含む通信システムにおいて、前記加入者端末が前記基地局に副チャネル割当を要請する方法であって、
前記加入者端末が割り当てられた副チャネルの全バンドの中で、各バンドの搬送波対干渉雑音比の標準偏差と前記全バンドの搬送波対干渉雑音比の平均を測定した後、前記測定した搬送波対干渉雑音比の標準偏差の最大が第１しきい値より小さく、前記測定した搬送波対干渉雑音比の平均が第２しきい値より大きいことを確認すれば、副チャネル割当方式をバンド適応変調符号化副チャネル割当方式へ変換するように基地局に要請するステップと、
前記測定した搬送波対干渉雑音比の標準偏差の最大が第３しきい値より大きいと、前記副チャネル割当方式を一般副チャネル割当方式へ変換するように前記基地局に要請するステップと、を含む副チャネル割当要請方法。
【請求項２３】
前記第１しきい値は、前記バンド適応変調符号化副チャネル割当方式の割り当てしきい値であることを特徴とする請求項２２記載の副チャネル割当要請方法。
【請求項２４】
前記第２しきい値は、前記バンド適応変調符号化副チャネル割当方式の進入搬送波対干渉雑音比の平均であることを特徴とする請求項２２記載の副チャネル割当要請方法。
【請求項２５】
前記第３しきい値は、前記バンド適応変調符号化副チャネル割当方式の解除しきい値であることを特徴とする請求項２２記載の副チャネル割当要請方法。
【請求項２６】
前記第１しきい値と前記第２しきい値は、前記バンド適応変調符号化副チャネル割当方式の少なくとも解除タイマーフレームに対するしきい値であることを特徴とする請求項２２記載の副チャネル割当要請方法。
【請求項２７】
前記第３しきい値は、前記バンド適応変調符号化副チャネル割当方式の少なくとも解除タイマーフレームに対するしきい値であることを特徴とする請求項２２記載の副チャネル割当要請方法。
【請求項２８】
前記バンド適応変調符号化副チャネル割当方式で報告されたバンドの搬送波対干渉雑音比の平均より他のバンドの搬送波対干渉雑音比が大きいと、前記他のバンドへ変更するように前記基地局に要請するステップをさらに含むことを特徴とする請求項２２記載の副チャネル割当要請方法。
【請求項２９】
加入者端末と、前記加入者端末に所定の方式で副チャネルを割り当てる基地局とを含む通信システムにおいて、前記基地局が前記加入者端末に副チャネルを割り当てる方法であって、
前記基地局が加入者端末から副チャネル割当方式の変換を指示する符号語を受信するステップと、
前記符号語に対応する前記加入者端末のチャネル状態指示子を受信すると、前記チャネル状態指示子と前記符号語に対応して副チャネル割当方式を変換するステップと、
前記変換した副チャネル割当方式で副チャネルを割り当てるステップと、を含むことを特徴とする副チャネル割当方法。
【請求項３０】
前記符号語は、第１符号語、第２符号語、及び第３符号語を含むことを特徴とする請求項２９記載の副チャネル割当方法。
【請求項３１】
前記副チャネル割当方式を変換するステップは、
前記第１符号語と前記第２符号語を受信すると、一般副チャネル割当方式からバンド適応変調符号化副チャネル割当方式へ変換し、
前記第３符号語を受信すると、前記バンド適応変調符号化副チャネル割当方式から前記一般副チャネル割当方式へ変換することを特徴とする請求項３０記載の副チャネル割当方法。
【請求項３２】
通信システムにおいて所定の方式で副チャネルを割り当てるシステムであって、
自身に割り当てられた副チャネルの割当方式を確認し、前記確認した副チャネル割当方式で割当を受けた副チャネルのチャネル状態指示子を確認し、前記確認したチャネル状態指示子に対応して副チャネル割当方式変換の必要性を確認すると、変換しようとする副チャネル割当方式を指示する符号語を基地局に伝送し、前記伝送した符号語に対応して変換された副チャネル割当方式で副チャネルの割当を受ける加入者端末を含むことを特徴とする副チャネル割当システム。
【請求項３３】
前記符号語は、第１符号語、第２符号語、及び第３符号語を含むことを特徴とする請求項３２記載の副チャネル割当システム。
【請求項３４】
前記加入者端末は、前記変換しようとする副チャネル割当方式がバンド適応変調符号化副チャネル割当方式である場合、前記バンド適応変調符号化副チャネル割当方式への変換を指示する前記第１符号語と前記第２符号語を伝送し、前記変換しようとする副チャネル割当方式が一般副チャネル割当方式である場合、前記一般副チャネル割当方式への変換を指示する前記第３符号語を伝送することを特徴とする請求項３３記載の副チャネル割当システム。
【請求項３５】
前記第１符号語は、
前記加入者端末が前記基地局に副チャネル割当方式を前記一般副チャネル割当方式から前記バンド適応変調符号化副チャネル割当方式への変換を要請する場合に用いられることを特徴とする請求項３４記載の副チャネル割当システム。
【請求項３６】
前記第２符号語は、
前記加入者端末が所定個数の最上位のバンドの搬送波対干渉雑音比に対する前記チャネル品質指示子を前記基地局に伝送することを知らせる場合に用いられることを特徴とする請求項３５記載の副チャネル割当システム。
【請求項３７】
前記所定個数の最上位のバンドは、前記加入者端末に割り当てられた副チャネルの全バンドの中で、最上位のチャネル状態を有することを特徴とする請求項３６記載の副チャネル割当システム。
【請求項３８】
前記第２符号語は、前記加入者端末が次のフレームで所定個数の最上位のバンドのチャネル品質指示子差値を前記基地局に伝送することを知らせる場合に用いられることを特徴とする請求項３６記載の副チャネル割当要請システム。
【請求項３９】
前記第３符号語は、前記加入者端末が基地局に副チャネル割当方式を前記バンド適応変調符号化副チャネル割当方式から前記一般副チャネル割当方式への変換を要請する場合に用いられることを特徴とする請求項３４記載の副チャネル割当システム。
【請求項４０】
前記第３符号語は、前記加入者端末が自身に割り当てられた副チャネルの全バンドのチャネル品質指示子標準を前記基地局に伝送することを知らせる場合に用いられることを特徴とする請求項３９記載の副チャネル割当システム。
【請求項４１】
前記加入者端末は、前記基地局に第１副チャネル割当方式から第２副チャネル割当方式への変更を要請する場合、専用制御チャネルを介して前記第１符号語を前記基地局に伝送し、前記第１符号語に対した応答で前記基地局からチャネル品質指示子要請メッセージを受信すると、前記専用制御チャネルを介して前記基地局に前記加入者端末のチャネル品質指示子と前記第２符号語を伝送して、前記伝送された第１符号語とチャネル品質指示子に対応して前記第２副チャネル割当方式で副チャネルの割当を受けることを特徴とする請求項３３記載の副チャネル割当システム。
【請求項４２】
前記第１副チャネル割当方式は一般副チャネル割当方式であり、前記第２副チャネル割当方式はバンド適応変調符号化副チャネル割当方式であることを特徴とする請求項４１記載の副チャネル割当システム。
【請求項４３】
前記専用制御チャネルは、前記加入者端末のチャネル品質指示子を前記基地局に伝送するために割り当てられたチャネルであることを特徴とする請求項４２記載の副チャネル割当システム。
【請求項４４】
前記加入者端末は、前記第１副チャネル割当方式で前記加入者端末に割り当てられた副チャネルの全バンドの中で、チャネル状態が最上位である所定個数の最上位バンドに対する前記チャネル品質指示子を前記基地局に伝送することを特徴とする請求項４２記載の副チャネル割当システム。
【請求項４５】
前記加入者端末は、前記第２副チャネル割当方式で前記副チャネルの割当を受けると、チャネル状態が最上位である所定個数の最上位バンドに対する搬送波対干渉雑音比の差値をさらに伝送することを特徴とする請求項４４記載の副チャネル割当システム。
【請求項４６】
前記搬送波対干渉雑音比の差値は、前記第２符号語が伝送されるフレームでチャネル状態が最上位である所定個数の最上位バンドに対する搬送波対干渉雑音比と前記フレームの次のフレームでチャネル状態が最上位である所定個数の最上位バンドに対する搬送波対干渉雑音比との間の搬送波対干渉雑音比の増減を指示することを特徴とする請求項４５記載の副チャネル割当システム。
【請求項４７】
前記加入者端末は、所定の時間が経過して前記チャネル状態が最上位である所定個数のバンドが変更される場合、前記第１符号語を前記基地局に再伝送することを特徴とする請求項４５記載の副チャネル割当システム。
【請求項４８】
前記加入者端末は、所定の時間が経過すると、前記第２符号語を前記基地局に再転送して前記チャネル状態が最上位である所定個数のバンドに対する前記チャネル品質指示子をさらに更新することを特徴とする請求項４４記載の副チャネル割当システム。
【請求項４９】
前記加入者端末は、第２副チャネル割当方式から第１副チャネル割当方式への変更を前記基地局に要請する場合、専用制御チャネルを介して前記第３符号語を前記基地局に伝送し、前記伝送された第３符号語に対応して前記加入者端末の前記チャネル品質指示子を伝送し、前記伝送された第３符号語とチャネル品質指示子に対応して前記第１副チャネル割当方式で副チャネルの割当を受けることを特徴とする請求項３３記載の副チャネル割当システム。
【請求項５０】
前記第１副チャネル割当方式は一般副チャネル割当方式であり、前記第２副チャネル割当方式はバンド適応変調符号化副チャネル割当方式であることを特徴とする請求項４９記載の副チャネル割当システム。
【請求項５１】
前記チャネル品質指示子は、前記第２副チャネル割当方式で割り当てられた前記副チャネルの全バンドに対する搬送波対干渉雑音比の平均(average Carrier-to-Interference Noise Ratio)を含むことを特徴とする請求項５０記載の副チャネル割当システム。
【請求項５２】
前記加入者端末は、前記加入者端末が一般副チャネル割当方式により副チャネルを割り当てられなければ、前記第３符号語を前記基地局に再伝送することを特徴とする請求項５０記載の副チャネル割当システム。
【請求項５３】
通信システムにおいて所定の方式で副チャネルを割り当てるシステムであって、
割り当てられた副チャネルの全バンドの中で、各バンドの搬送波対干渉雑音比の標準偏差と前記全バンドの搬送波対干渉雑音比の平均を測定した後、前記測定した搬送波対干渉雑音比の標準偏差の最大が第１しきい値より小さく、前記測定した搬送波対干渉雑音比の平均が第２しきい値より大きいことを確認すれば、副チャネル割当方式をバンド適応変調符号化副チャネル割当方式へ変換するように基地局に要請し、前記測定した搬送波対干渉雑音比の標準偏差の最大が第３しきい値より大きいと、前記副チャネル割当方式を一般副チャネル割当方式へ変換するように前記基地局に要請する加入者端末を含むことを特徴とする副チャネル割当システム。
【請求項５４】
前記第１しきい値は、前記バンド適応変調符号化副チャネル割当方式の割り当てしきい値であることを特徴とする請求項５３記載の副チャネル割当システム。
【請求項５５】
前記第２しきい値は、前記バンド適応変調符号化副チャネル割当方式の進入搬送波対干渉雑音比の平均であることを特徴とする請求項５３記載の副チャネル割当システム。
【請求項５６】
前記第３しきい値は、前記バンド適応変調符号化副チャネル割当方式の解除しきい値であることを特徴とする請求項５３記載の副チャネル割当システム。
【請求項５７】
前記第１しきい値と前記第２しきい値は、前記バンド適応変調符号化副チャネル割当方式の少なくとも解除タイマーフレームに対するしきい値であることを特徴とする請求項５３記載の副チャネル割当システム。
【請求項５８】
前記第３しきい値は、前記バンド適応変調符号化副チャネル割当方式の少なくとも解除タイマーフレームに対するしきい値であることを特徴とする請求項５３記載の副チャネル割当システム。
【請求項５９】
前記加入者端末は、前記バンド適応変調符号化副チャネル割当方式で報告されたバンドの搬送波対干渉雑音比の平均より他のバンドの搬送波対干渉雑音比が大きいと、前記他のバンドへ変更するように前記基地局にさらに要請することを特徴とする請求項５３記載の副チャネル割当システム。
【請求項６０】
通信システムにおいて所定の方式で副チャネルを割り当てるシステムであって、
加入者端末から副チャネル割当方式の変換を指示する符号語を受信し、前記符号語に対応する前記加入者端末のチャネル状態指示子を受信すると、前記チャネル状態指示子と前記符号語に対応して副チャネル割当方式を変換し、前記変換した副チャネル割当方式で副チャネルを割り当てる基地局を含むことを特徴とする副チャネル割当システム。
【請求項６１】
前記符号語は、第１符号語、第２符号語、及び第３符号語を含むことを特徴とする請求項６０記載の副チャネル割当システム。
【請求項６２】
前記基地局は、前記第１符号語と前記第２符号語を受信すると、一般副チャネル割当方式からバンド適応変調符号化副チャネル割当方式へ変換し、前記第３符号語を受信すると、前記バンド適応変調符号化副チャネル割当方式から前記一般副チャネル割当方式へ変換することを特徴とする請求項６１記載の副チャネル割当システム。
【請求項６３】
通信システムにおいて所定の方式で副チャネルを割り当てるシステムであって、
自身に割り当てられた副チャネルの割当方式を確認し、前記確認した副チャネル割当方式で割当を受けた副チャネルのチャネル状態指示子を確認し、前記確認したチャネル状態指示子に対応して副チャネル割当方式変換の必要性を確認すれば、変換しようとする副チャネル割当方式を指示する符号語を基地局に伝送し、前記伝送した符号語に対応して変換された副チャネル割当方式で副チャネルの割当を受ける加入者端末と、
前記加入者端末から副チャネル割当方式の変換を指示する符号語を受信し、前記符号語に対応する前記加入者端末のチャネル状態指示子を受信すると、前記チャネル状態指示子と前記符号語に対応して副チャネル割当方式を変換し、前記変換した副チャネル割当方式で副チャネルを割り当てる基地局と、を含むことを特徴とする副チャネル割当システム。
【請求項６４】
前記符号語は、第１符号語、第２符号語、及び第３符号語を含むことを特徴とする請求項６３記載の副チャネル割当システム。
【請求項６５】
前記加入者端末は、前記変換しようとする副チャネル割当方式がバンド適応変調符号化副チャネル割当方式の場合、前記バンド適応変調符号化副チャネル割当方式への変換を指示する前記第１符号語と前記第２符号語を伝送し、前記変換しようとする副チャネル割当方式が一般副チャネル割当方式の場合、前記一般副チャネル割当方式への変換を指示する前記第３符号語を伝送することを特徴とする請求項６４記載の副チャネル割当システム。
【請求項６６】
前記第１符号語は、前記加入者端末が前記基地局に副チャネル割当方式を前記一般副チャネル割当方式から前記バンド適応変調符号化副チャネル割当方式への変換を要請する場合に用いられることを特徴とする請求項６５記載の副チャネルシステム。
【請求項６７】
前記第２符号語は、前記加入者端末が所定個数の最上位のバンドの搬送波対干渉雑音比に対する前記チャネル品質指示子を前記基地局に伝送することを知らせる場合に用いられることを特徴とする請求項６６記載の副チャネル割当システム。
【請求項６８】
前記所定個数の最上位バンドは、前記加入者端末に割り当てられた副チャネルの全バンドの中で、最上位のチャネル状態を有することを特徴とする請求項６７記載の副チャネル割当システム。
【請求項６９】
前記第２符号語は、前記加入者端末が次のフレームで所定個数の最上位バンドのチャネル品質指示子差値(differential channel quality indicator)を伝送することを知らせる場合に用いられることを特徴とする請求項６７記載の副チャネル割当システム。
【請求項７０】
前記第３符号語は、前記加入者端末が基地局に副チャネル割当方式を前記バンド適応変調符号化副チャネル割当方式から前記一般副チャネル割当方式への変換を要請する場合に用いられることを特徴とする請求項６５記載の副チャネル割当システム。
【請求項７１】
前記第３符号語は、前記加入者端末が自身に割り当てられた副チャネルの全バンドのチャネル品質指示子標準を前記基地局に伝送することを知らせる場合に用いられることを特徴とする請求項７０記載の副チャネル割当システム。
【請求項７２】
前記加入者端末は、第１副チャネル割当方式から第２副チャネル割当方式へ変更するように前記基地局に要請する場合、専用制御チャネルを介して前記第１符号語を前記基地局に伝送し、前記第１符号語に対した応答で前記基地局からチャネル品質指示子要請メッセージを受信すると、前記専用制御チャネルを介して前記基地局に前記加入者端末のチャネル品質指示子と前記第２符号語を伝送し、前記伝送された第１符号語とチャネル品質指示子に対応して前記第２副チャネル割当方式で副チャネルの割当を受けることを特徴とする請求項６４記載の副チャネル割当システム。
【請求項７３】
前記第１副チャネル割当方式は一般副チャネル割当方式であり、前記第２副チャネル割当方式はバンド適応変調符号化副チャネル割当方式であることを特徴とする請求項７２記載の副チャネル割当システム。
【請求項７４】
前記専用制御チャネルは、前記加入者端末のチャネル品質指示子を前記基地局に伝送するために割り当てられたチャネルであることを特徴とする請求項７３記載の副チャネル割当システム。
【請求項７５】
前記加入者端末は、前記第１副チャネル割当方式で前記加入者端末に割り当てられた副チャネルの全バンドの中で、チャネル状態が最上位である所定個数の最上位バンドに対する前記チャネル品質指示子を前記基地局に伝送することを特徴とする請求項７３記載の副チャネル割当システム。
【請求項７６】
前記加入者端末は、前記第２副チャネル割当方式で前記加入者端末が前記副チャネルの割当を受けると、チャネル状態が最上位である所定個数の最上位バンドに対する搬送波対干渉雑音比の差値をさらに伝送することを特徴とする請求項７５記載の副チャネル割当システム。
【請求項７７】
前記搬送波対干渉雑音比の差値は、前記第２符号語が伝送されるフレームでチャネル状態が最上位である所定個数の最上位バンドに対する搬送波対干渉雑音比と前記フレームの次のフレームでチャネル状態が最上位である所定個数の最上位バンドに対する搬送波対干渉雑音比との間の搬送波対干渉雑音比の増減を指示することを特徴とする請求項７６記載の副チャネル割当システム。
【請求項７８】
前記加入者端末は、所定の時間が経過して前記チャネル状態が最上位である所定個数のバンドが変更される場合、前記第１符号語を前記基地局に再伝送することを特徴とする請求項７６記載の副チャネル割当システム。
【請求項７９】
前記加入者端末は、所定の時間が経過すると、前記第２符号語を前記基地局に再転送して前記チャネル状態が最上位である所定個数のバンドに対する前記チャネル品質指示子をさらに更新することを特徴とする請求項７５記載の副チャネル割当システム。
【請求項８０】
前記加入者端末は、第２副チャネル割当方式から第１副チャネル割当方式へ変更するように前記基地局に要請する場合、専用制御チャネルを介して前記第３符号語を前記基地局に伝送し、前記伝送された第３符号語に対応して前記加入者端末の前記チャネル品質指示子を伝送し、前記伝送された第３符号語とチャネル品質指示子に対応して前記第１副チャネル割当方式で副チャネルの割当を受けることを特徴とする請求項６４記載の副チャネル割当システム。
【請求項８１】
前記第１副チャネル割当方式は一般副チャネル割当方式であり、前記第２副チャネル割当方式はバンド適応変調符号化副チャネル割当方式であることを特徴とする請求項８０記載の副チャネル割当システム。
【請求項８２】
前記チャネル品質指示子は、前記第２副チャネル割当方式で割り当てられた前記副チャネルの全バンドに対する搬送波対干渉雑音比の平均(average Carrier-to-Interference Noise Ratio)を含むことを特徴とする請求項８１記載の副チャネル割当システム。
【請求項８３】
前記加入者端末は、一般副チャネル割当方式により副チャネルを割り当てられなければ、前記第３符号語を前記基地局に再伝送することを特徴とする請求項８１記載の副チャネル割当システム。
【請求項８４】
前記基地局は、前記第１符号語と前記第２符号語を受信すると、一般副チャネル割当方式からバンド適応変調符号化副チャネル割当方式へ変換し、前記第３符号語を受信すると、前記バンド適応変調符号化副チャネル割当方式から前記一般副チャネル割当方式へ変換することを特徴とする請求項６４記載の副チャネル割当システム。